【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】
Ｘ線管球と、
Ｘ線検出器と、
前記Ｘ線検出器の受像面に配置されるグリッドと、
前記Ｘ線管球と前記Ｘ線検出器の受像面との間の距離を変更可能に、前記Ｘ線管球と前記Ｘ線検出器とを支持するアームと、
前記アームの角度を変更可能に前記アームを支持するアーム支持装置と、
前記グリッドによるモアレ画像データの複数のファイルを前記距離と前記角度との少なくとも一方に関連付けて記憶する記憶装置と、
前記Ｘ線検出器から出力される画像データを、前記距離と前記角度との少なくとも一方に応じて前記記憶装置から選択的に読み出されたモアレ画像データに基づいて、補正するモアレ補正回路とを具備することを特徴とするＸ線診断装置。
【請求項２】
Ｘ線管球と、
Ｘ線検出器と、
前記Ｘ線検出器の受像面に配置されるグリッドと、
前記Ｘ線管球と前記Ｘ線検出器の受像面との間の距離を変更可能に、前記Ｘ線管球と前記Ｘ線検出器とを支持するアームと、
前記アームの角度を変更可能に前記アームを支持するアーム支持装置と、
前記Ｘ線検出器から出力される画像データを周波数解析して、モアレ縞に対応する空間周波数を特定し、前記特定した空間周波数に基づいてモアレ補正データを発生するモアレ補正データ発生回路と、
前記Ｘ線検出器から出力される画像データを前記発生されたモアレ補正データに基づいて補正するモアレ補正回路とを具備することを特徴とするＸ線診断装置。
【請求項３】
Ｘ線管球と、
Ｘ線検出器と、
前記Ｘ線検出器の受像面に配置されるグリッドと、
前記Ｘ線管球と前記Ｘ線検出器の受像面との間の距離を変更可能に、前記Ｘ線管球と前記Ｘ線検出器とを支持するアームと、
前記Ｘ線管球と前記Ｘ線検出器の受像面との間の距離を検出するセンサと、
前記アームの角度を変更可能に前記アームを支持するアーム支持装置と、
前記Ｘ線管球と前記Ｘ線検出器の受像面との間の距離が基準距離であるときのモアレ画像データを記憶する記憶装置と、
前記センサにより検出された距離と前記基準距離とに基づいて前記モアレ画像データを拡大するように構成されたモアレ画像拡大回路と、
前記Ｘ線検出器から出力される画像データを前記拡大されたモアレ画像データに基づいて補正するモアレ補正回路とを具備することを特徴とするＸ線診断装置。
【請求項４】
前記Ｘ線検出器は、直接変換方式又は間接変換方式のフラットパネル型検出器であることを特徴とする請求項１乃至３のいずれか一項記載のＸ線診断装置。
【請求項５】
Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置とを有するＸ線診断装置のモアレ補正方法において、
前記グリッドによるモアレ画像データの複数のファイルが前記距離と前記角度との少なくとも一方に関連付けて記憶された記憶装置から、前記距離と前記角度との少なくとも一方に応じて選択的にモアレ画像データを読み出し、
前記Ｘ線検出器から出力される画像データを、読み出されたモアレ画像データ基づいて、補正することを特徴とするモアレ補正方法。
【請求項６】
Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置とを有するＸ線診断装置のモアレ補正方法において、
前記Ｘ線検出器から出力される画像データを周波数解析して、モアレ縞に対応する空間周波数を特定し、
前記特定した空間周波数に基づいてモアレ補正データを発生し、
前記Ｘ線検出器から出力される画像データを前記発生されたモアレ補正データに基づいて補正することを特徴とするモアレ補正方法。
【請求項７】
Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記Ｘ線管球と前記Ｘ線検出器の受像面との間の距離を検出するセンサと、前記アームの角度を変更可能に前記アームを支持するアーム支持装置とを有するＸ線診断装置のモアレ補正方法において、
前記Ｘ線管球と前記Ｘ線検出器の受像面との間の距離が基準距離であるときのモアレ画像データを、前記センサにより検出された距離と前記基準距離とに基づいて拡大し、
前記Ｘ線検出器から出力される画像データを前記拡大されたモアレ画像データに基づいて補正することを特徴とするモアレ補正方法。
【請求項８】
前記Ｘ線検出器は、直接変換方式又は間接変換方式のフラットパネル型検出器であることを特徴とする請求項５乃至７のいずれか一項記載のモアレ補正方法。
【手続補正２】
【補正対象書類名】明細書
【補正対象項目名】０００８
【補正方法】変更
【補正の内容】
【０００８】
【課題を解決するための手段】
本発明の第１局面によるＸ線診断装置は、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置と、前記グリッドによるモアレ画像データの複数のファイルを前記距離と前記角度との少なくとも一方に関連付けて記憶する記憶装置と、前記Ｘ線検出器から出力される画像データを、前記距離と前記角度との少なくとも一方に応じて前記記憶装置から選択的に読み出されたモアレ画像データに基づいて、補正するモアレ補正回路とを具備する。  
本発明の第２局面によるＸ線診断装置は、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置と、前記Ｘ線検出器から出力される画像データを周波数解析して、モアレ縞に対応する空間周波数を特定し、前記特定した空間周波数に基づいてモアレ補正データを発生するモアレ補正データ発生回路と、前記Ｘ線検出器から出力される画像データを前記発生されたモアレ補正データに基づいて補正するモアレ補正回路とを具備する。  
本発明の第３局面によるＸ線診断装置は、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記Ｘ線管球と前記Ｘ線検出器の受像面との間の距離を検出するセンサと、前記アームの角度を変更可能に前記アームを支持するアーム支持装置と、前記Ｘ線管球と前記Ｘ線検出器の受像面との間の距離が基準距離であるときのモアレ画像データを記憶する記憶装置と、前記センサにより検出された距離と前記基準距離とに基づいて前記モアレ画像データを拡大するように構成されたモアレ画像拡大回路と、前記Ｘ線検出器から出力される画像データを前記拡大されたモアレ画像データに基づいて補正するモアレ補正回路とを具備する。  
本発明は第４局面において、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置とを有するＸ線診断装置のモアレ補正方法において、前記グリッドによるモアレ画像データの複数のファイルが前記距離と前記角度との少なくとも一方に関連付けて記憶された記憶装置から、前記距離と前記角度との少なくとも一方に応じて選択的にモアレ画像データを読み出し、前記Ｘ線検出器から出力される画像データを、読み出されたモアレ画像データ基づいて、補正することを特徴とするモアレ補正方法である。  
本発明の第５局面は、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記アームの角度を変更可能に前記アームを支持するアーム支持装置とを有するＸ線診断装置のモアレ補正方法において、前記Ｘ線検出器から出力される画像データを周波数解析して、モアレ縞に対応する空間周波数を特定し、前記特定した空間周波数に基づいてモアレ補正データを発生し、前記Ｘ線検出器から出力される画像データを前記発生されたモアレ補正データに基づいて補正することを特徴とするモアレ補正方法である。  
本発明の第６局面は、Ｘ線管球と、Ｘ線検出器と、前記Ｘ線検出器の受像面に配置されるグリッドと、前記Ｘ線管球と前記Ｘ線検出器の受像面との間の距離を変更可能に、前記Ｘ線管球と前記Ｘ線検出器とを支持するアームと、前記Ｘ線管球と前記Ｘ線検出器の受像面との間の距離を検出するセンサと、前記アームの角度を変更可能に前記アームを支持するアーム支持装置とを有するＸ線診断装置のモアレ補正方法において、前記Ｘ線管球と前記Ｘ線検出器の受像面との間の距離が基準距離であるときのモアレ画像データを、前記センサにより検出された距離と前記基準距離とに基づいて拡大し、前記Ｘ線検出器から出力される画像データを前記拡大されたモアレ画像データに基づいて補正することを特徴とするモアレ補正方法である。